(57)【要約】【課題】テストヘッドからテストヘッドカードを引き上げる際に、途中に設けた係止機構でテストヘッドカードを支えることができるテストヘッドカードの挿抜機構を提供する。【解決手段】矩形状の穴の対向する両側壁にガイドが形成されたテストヘッドと、前記ガイドに沿って挿入されるテストヘッドカードからなるテストヘッドカードの挿抜機構において、前記ガイドの途中に突起を設けるとともに前記テストヘッドカードの側面に前記突起に係合されるストッパを含む係止機構を設けた。【選択図】    図１
2012199279.tif 000002
【特許請求の範囲】
【請求項１】
矩形状の穴の対向する両側壁にガイドが形成されたテストヘッドと、前記ガイドに沿って挿入されるテストヘッドカードからなるテストヘッドカードの挿抜機構において、前記ガイドの途中に突起を設けるとともに前記テストヘッドカードの側面に前記突起に係合されるストッパを含む係止機構を設けたことを特徴とするテストヘッドカードの挿抜機構。
【請求項２】
前記突起はガイド沿って複数個所形成され、前記テストヘッドカードを引き抜くに際しては前記突起の少なくとも一つに前記係止機構を係合させ、前記テストヘッドカードの落下を防止することを特徴とする請求項１に記載のテストヘッドカードの挿抜機構。
【請求項３】
前記係止機構を構成するストッパは挿入時にはテストヘッドカードの側面より内側に位置し、テストヘッドカードの底部が前記穴の底部付近に達したときに前記ストッパの一端がテストヘッドカードの側面より外側に突出するように構成したことを特徴とする請求項請求項１又は２に記載のテストヘッドカードの挿抜機構。
【発明の詳細な説明】
【技術分野】
【０００１】
本発明は、メモリテスタのテストヘッド(以下ＴＨという)カードの挿抜機構に関し、詳しくは重量の重いＴＨカードをＴＨから引抜く際に補助機構を用いることによりＴＨカード引き抜きの容易化をはかったＴＨカードの挿抜機構に関するものである。
【背景技術】
【０００２】
図３はこの種のＴＨおよびＴＨカードの平面図（ａ）、一部断面を示す正面図（ｂ）および（ｂ）図のＡ−Ａ断面図（ｃ）である。
これらの図において、１は一点鎖線Ｄで囲った部分に示すように段差Ｈおよび所定の深さＪの矩形状の穴１ａを有する矩形状のＴＨである。
【０００３】
このＴＨ１には穴１ａの両端の中央付近に入り口側から深さ方向に向かって所定の間隔Ｋを隔てるとともに所定の長さＱを有する断面矩形状のＴＨ側ガイド４が形成されている。３ａは複数（図では３個）のコネクタで、ＴＨの穴１ａの底部に所定の間隔Ｍを隔てかつ、穴１ａの両側に形成されたＴＨ側ガイド４同士を結ぶ線に沿って配置されている。
【０００４】
２は平板状のＴＨカードであり、Ａ−Ａ断面図（ｃ）に示すようにＴＨに形成された段差Ｈと略同様の厚さＨ１を有する矩形状の支持部材２ａの一辺の中央付近に一辺が固定されている。ＴＨカード２の他辺にはコネクタ３ａに接続するコネクタ３ｂが固定されている。
【０００５】
５はＴＨカードの両辺に固定された矩形状のカード側ガイドであり、ＴＨカード２に固定された状態で、両端までの長さ（幅）Ｌ２が穴１ａの長さ（幅）Ｌ１よりもわずかに短く形成されている。ＴＨ側ガイド４の間隔ＫはＴＨカードの厚さＫ１よりもわずかに大きく形成されており、ＴＨカード２をＴＨ側のガイド４に上方から挿入したときにＴＨカード側ガイド５がスムーズに挿入可能な程度の勘合状態とされている。
【先行技術文献】
【特許文献】
【０００６】
【特許文献１】特開２００９−５４７８３号公報
【発明の概要】
【発明が解決しようとする課題】
【０００７】
ところで、このようなＴＨ１において、ＴＨカード２がＴＨに挿入され、コネクタ３ａ，３ｂが接続された状態からＴＨカード２を引き抜くに際しては、図示しないカード引き抜き治具を用いて支持部材２ａの部分をわずかに突出させ、その突出した部分を手で掴んで引き上げていた。
【０００８】
しかしながら、ＴＨカードの重量は重いものでは１０ｋｇを超えるものがあり、二人掛かりで持ち上げる場合があった。また、一人作業時においてはＤ部を持って引き上げるが掴んでいる場所を持ち替えることが困難で、作業性が悪いという課題があった。
また、ＴＨカード２の深さ方向の長さＪは４５０ｍｍ以上、支持部材の長さＢは６５０ｍｍ程度ある場合があるが、引き上げの途中で手が滑るなどによりＴＨカード２自体がＴＨの穴１ａ内に落下してコネクタ３ａ，３ｂが破損する可能性があった。
【課題を解決するための手段】
【０００９】
本発明は上記課題を解決するためになされたもので、請求項１に記載のテストヘッドカードの挿抜機構においては、
矩形状の穴の対向する両側壁にガイドが形成されたテストヘッドと、前記ガイドに沿って挿入されるテストヘッドカードからなるテストヘッドカードの挿抜機構において、前記ガイドの途中に突起を設けるとともに前記テストヘッドカードの側面に前記突起に係合されるストッパを含む係止機構を設けたことを特徴とする。
【００１０】
請求項２においては、請求項１に記載のテストヘッドカードの挿抜機構において、
前記突起はガイド沿って複数個所形成され、前記テストヘッドカードを引き抜く際に前記突起の少なくとも一つに前記係止機構を係合させ、前記テストヘッドカードの落下を防止することを特徴とする。
【００１１】
請求項３においては、請求項１又は２に記載のテストヘッドカードの挿抜機構において、前記係止機構を構成するストッパは挿入時にはテストヘッドカードの側面より内側に位置し、テストヘッドカードの底部が前記穴の底部付近に達したときに前記ストッパの一端がテストヘッドカードの側面より外側に突出するように構成したことを特徴とする。
【発明の効果】
【００１２】
以上説明したことから明らかなように本発明の請求項１〜３によれば、ＴＨカードを引き上げるに際し、途中に設けた係止機構で支えることができるので作業性が向上し落下の危険を阻止することができる。
【図面の簡単な説明】
【００１３】
【図１】本発明のテストヘッドカードの挿抜機構の実施形態の一例を示す平面図（ａ）、一部断面正面図（ｂ）、（ｂ）図のＡ−Ａ断面図（ｃ）である。
【図２】支持機構の詳細を示す断面図である。
【図３】従来のテストヘッドカードの一例を示す平面図（ａ）、一部断面正面図（ｂ）、（ｂ）図のＡ−Ａ断面図（ｃ）である。
【発明を実施するための形態】
【００１４】
図１（ａ〜ｃ）は本発明のＴＨカードの挿抜機構の一実施例を示すもので、図（ａ）は平面図、図（ｂ）は正面図、図（ｃ）は図（ｂ）のＡ−Ａ断面図である。
この図は図３に示す従来例とはＴＨの両側のガイド４のそれぞれの一方にＴＨ側係止機構４ａを設け、ＴＨカード２側の両辺にＴＨカード側係止機構５ａを設け、更にＴＨの底部にＴＨカード側係止機構５ａに対向して解除ピン６を設けた点のみが異なっている。
【００１５】
図２（ａ〜ｄ）は図１に示す本発明のＴＨカードの挿抜機構の詳細を示すもので、図（ａ）はＴＨカード側に設けたＴＨカード側係止機構５ａの断面図、（ｂ）図は図（ａ）の動作状態を示す断面図、図（ｃ）はＴＨカード側係止機構５ａとＴＨ側係止機構４ａの位置関係を示す断面図、図（ｄ）は図（ｃ）のＺ視図である。
【００１６】
図２（ａ）において、６は図１に示すＴＨの底部に設けられた解除ピンであり、７はＴＨカード側係止機構５ａの底部付近に形成された逆Ｌ字状のブロック、８は矢印Ｎ方向に伸縮するスフリングであり、一端はブロック７の下部付近に係止され、他端はストッパ１２の一辺に係止されている。
【００１７】
１１は係止ピンであり、ＴＨカード側係止機構５ａを構成する固定板１３（図ｄ参照）の下方において、解除ピン６の先端部と略同一の高さに一端が固定され、他端は解除ピン６とは所定の隙間Ｐ（図ｃ参照）を隔てて配置されている。
【００１８】
ストッパ１２は略矩形状とされ一辺の上部が部分的に延長されて先端部１２ａが形成されている。この先端部１２ａはスプリングの伸縮によりブロック７の内辺７ａに対して接触、非接触となるようにされており、部分的に延長された先端部１２ａと反対側の下辺には鋭角部１２ｂが形成されている。
【００１９】
９は支持ピンであり、一端がブロック７に他端が固定板１３間に固定されている（図ｄ参照）。この支持ピン９はストッパ１２の上辺付近の略中央部に形成された長穴１０を貫通した状態とされており、ストッパ１２はブロック７と固定板１３で形成される空間（図ｄ参照）に支持ピン９とスプリング８により支持された状態となっている。
【００２０】
４ａ（図ｃ参照）はＴＨ側ガイド４の一方に形成されたＴＨ側係止機構であり、このガイド４ａにはストッパ１２に対向する位置に所定の間隔を隔てて突起１４が形成されている。
【００２１】
上述の構成において、図２（ａ）に示すようにＴＨカード２をＴＨ１に挿入する前の状態ではストッパ１２の鋭角部１２ａの先端部は係止ピン１１に接触し、スプリング８は縮んだ状態とされ、支持ピン９は長穴１０の上部に接した状態となっている。
【００２２】
従ってこの状態ではストッパの鋭角部１２ｂはカード側ガイド５のＴＨ側のガイドに対向する辺よりも内側に位置した状態となっている。
そして、ＴＨカード２がＴＨ１に挿入され、コネクタ３ａにコネクタ３ｂ（図１参照）が挿入される直前にストッパの鋭角部１２ｂは解除ピン６に接した状態となる。
【００２３】
その状態のまま更にＴＨカード２が挿入されるとストッパの先端部１２ａは上方に押し上げれるとともに、長穴１０の下端が支持ピン９に接するように移動する。
即ち、長穴１０の長さはストッパの鋭角部１２ｂが解除ピン６に接触して押し上げられて係止ピン１１から外れ、支持ピン９が長穴１０の下端に接する程度の長さに形成されている。
【００２４】
その結果、図（ｂ）に示すようにスプリング８が伸びてストッパ１２を押し出し、その鋭角部１２ｂがＴＨ側カード側ガイド４ｂに対向する辺よりも外側に位置した状態となる。
図（ｃ）はストッパの鋭角部１２ｂがＴＨ側係止機構４ａに形成された突起の高さより低い位置に突き出した状態を示している。
【００２５】
そして、所定の作業が終了し、ＴＨカード２をＴＨ１から引き抜く作業に入るとストッパ１２が上方に移動する。その結果、鋭角部１２ｂが突起１４に接してスプリング８が押圧されて縮んだ状態となる。
【００２６】
その結果、鋭角部１２ｂは突起１４の上辺を滑って上昇するが、突起がなくなった部分ではスプリング８が再び伸張しストッパ１２は図（ｂ）の状態に戻る。その結果、ＴＨカード２をＴＨ１から引き抜くに際して途中で手を離してもＴＨカード２は突起１４に支持された状態となり落下を防止することができる。従って、突起１４をＴＨ側係止機構４ａに沿って複数個形成しておけば段階的にＴＨカード２を引き上げることができる。
【００２７】
なお、以上の説明は、本発明の説明および例示を目的として特定の好適な実施例を示したに過ぎない。例えば、ストッパや各部材の形状は図示の例となく適宜設計可能である。
従って本発明は、上記実施例に限定されることなく、その本質から逸脱しない範囲で更に多くの変更、変形を含むものである。
【符号の説明】
【００２８】
１          テストヘッド（ＴＨ）
２          テストヘッドカード（ＴＨカード）
３          コネクタ
４          ＴＨ側ガイド
４ａ        ＴＨ側係止機構
５          ＴＨカード側ガイド
５ａ        ＴＨカード側係止機構
６          解除ピン
７          ブロック
８          スプリング
９          支持ピン
１０        長穴
１１        係止ピン
１２        ストッパ
１２ａ      先端部
１２ｂ      鋭角部
１３        固定板
１４        突起
【図１】
2012199279.tif 000003
【図２】
2012199279.tif 000004
【図３】
2012199279.tif 000005